(57)【要約】【課題】コストを掛けることなく十分な反射性能を得ることが出来る導光部材の提供を目的とする。【解決手段】装置本体に開閉自在に取り付けられた可動カバーに，該可動カバーを前記装置本体に対して閉じた時に該装置本体に設けられた発光素子と対向して該発光素子からの光を導く透明或は半透明の導光部材と，該導光部材から照射された光を受けて発光する透明或は半透明の発光表示板とが設けられてなる表示装置における導光部材が，その反射面に，ポリエステルフィルムの片面にポリエステル糸がゴム系接着剤によって接着されたテープ部材が上記ゴム系接着剤によって接着されてなる導光部材。【選択図】図８
2010054139.tif 000002
【特許請求の範囲】
【請求項１】
発光素子と前記発光素子と対向して該発光素子からの光を導く透明或は半透明の導光部材とが設けられてなる発光装置における導光部材において，
その反射面に，フィルムの片面に繊維が合成樹脂系粘着剤によって接着されたテープ部材が上記合成樹脂系粘着剤によって接着されてなる導光部材。
【請求項２】
発光素子と対向して該発光素子からの光を導く透明或は半透明の導光部材と，該導光部材から照射された光を導く透明或は半透明の発光表示板とが設けられてなる表示装置における導光部材において，
その反射面に，ポリエステルフィルムの片面にポリエステル糸が合成樹脂系粘着剤によって接着されたテープ部材が上記合成樹脂系粘着剤によって接着されてなる導光部材。
【請求項３】
発光素子と対向して該発光素子からの光を導く透明或は半透明の導光部材と，該導光部材から照射された光を導く透明或は半透明の発光表示板とが設けられてなる表示装置における導光部材において，
その反射面に，ポリエステルフィルムの片面にポリエステル糸が合成樹脂系粘着剤によって接着されたテープ部材が上記合成樹脂系粘着剤によって接着され，前記ポリエステル糸は前記発光素子からの光に直交するように配されてなる導光部材。
【請求項４】
合成樹脂系粘着剤が，白色系の合成樹脂系粘着剤である請求項１〜３のいずれかに記載の導光部材。
【請求項５】
装置本体に取り付けられた表示板に給電することなく該表示板を照明するための表示装置であって，
前記装置本体に設けられた発光素子と対向して該発光素子からの光を導く透明或は半透明の導光部材と，該導光部材から照射された光を受けて発光する透明或は半透明の発光表示板とが設けられてなる表示装置において，
前記導光部材の反射面に，ポリエステルフィルムの片面にポリエステル糸が合成樹脂系粘着剤によって接着されたテープ部材が上記合成樹脂系粘着剤によって接着されてなる表示装置。
【発明の詳細な説明】
【技術分野】
【０００１】
本発明は，例えば冷蔵庫本体に設けられた発光装置に用いられる導光部材，この導光部材を備えた表示装置に関するものである。
【背景技術】
【０００２】
冷蔵庫は一般的に食品の出し入れの頻度の高い冷蔵室を上部に，重量物の多い野菜室や長期保存を目的とした冷凍室をその下部となるように構成されているものが多い。また庫内環境を清潔に保つためのイオン発生装置を設置したり，その冷蔵室内に収納された食品は使用者から見て使用者の正面から上面を望む位置に配置されることが多い。そのため，使用性の向上の面から食品を置く場所を照らす必要がある。また，冷蔵庫やイオン発生装置の運転状態などを表示する表示灯部も必要である。このような運転状態の表示を目的とした表示部の一例として，着脱自在なカバーを備え，このカバーに各種装置の運転状態を表示する表示部を備えたものが知られている。
上記各表示部の内，本体カバーに設けられる電気的表示部には，該本体カバーが空気調和機本体に固定されていることから配線も簡単であり，ランプを用いた光学的な表示構造が採用されたものも少なくない。この場合の表示手段としては，ＬＥＤ，ＬＣＤ，バックライト付きＬＣＤ，ハロゲンランプなど様々である  上記表示部は，前記カバーに，該冷蔵庫本体に設けられた発光素子と対向して該発光素子からの光を導く透明或は半透明の導光板を設けた表示装置を採用したものが知られている（特許文献１）。
なお，上記特許文献１は，空気調和機に関するものである。
【特許文献１】特開２００５−１４８１８１号公報
【発明の開示】
【発明が解決しようとする課題】
【０００３】
上記のようなランプなどの発光素子からの光を前記導光板を介して発光させる，あるいは発光表示板に導いて，発光表示板を光らせる従来の導光型表示装置では，一般に導光板の反射部に光の反射に役立つ銀色や白色の膜を形成したり，梨地加工あるいはローレット加工を施しているが，これらの銀色や白色の膜は一方向への反射にとどまり，発光面全体を均一に照らすことが難しく，また梨地加工，あるいはローレット加工は高額のコストがかかり，あるいは十分な反射率を得ることが出来ていなかった。
本発明は上記したような事情に鑑みて創作されたものであり，コストを掛けることなく十分な反射性能を得ることが出来る導光部材などの提供を目的とするものである。
【課題を解決するための手段】
【０００４】
上記目的を達成するために導光部材としての本発明は，発光素子と前記発光素子と対向して該発光素子からの光を導く透明或は半透明の導光部材とが設けられてなる発光装置における導光部材において，その反射面に，フィルムの片面に繊維が合成樹脂系粘着剤によって接着されたテープ部材が上記合成樹脂系粘着剤によって接着されてなる導光部材として構成されている。
より具体的には，発光素子と対向して該発光素子からの光を導く透明或は半透明の導光部材と，該導光部材から照射された光を導く透明或は半透明の発光表示板とが設けられてなる表示装置における導光部材において，その反射面に，ポリエステルフィルムの片面にポリエステル糸が合成樹脂系粘着剤によって接着されたテープ部材が上記合成樹脂系粘着剤によって接着されてなる導光部材としても把握できる。
上記ポリエステル糸は，前記発光素子からの光に直交するように配された時に導光部材としての光の反射性に良い影響があらわれる。
ここにおいて，前記合成樹脂系粘着剤は，白色系の合成樹脂系粘着剤であることが望ましい。
本発明は表示装置としても把握できる。即ち，装置本体に取り付けられた表示板に給電することなく該表示板を照明するための表示装置であって，前記装置本体に設けられた発光素子と対向して該発光素子からの光を導く透明或は半透明の導光部材と，該導光部材から照射された光を受けて発光する透明或は半透明の発光表示板とが設けられてなる表示装置において，前記導光部材の反射面に，ポリエステルフィルムの片面にポリエステル糸が合成樹脂系粘着剤によって接着されたテープ部材が上記合成樹脂系粘着剤によって接着されてなる表示装置が提供される。
【発明の効果】
【０００５】
本発明では，梨地加工，ローレット加工などを用いた従来の導光部材と較べて遙かにコストを低下することが出来るばかりか，反射率がよく，明るい表示装置が得られた。
【発明を実施するための最良の形態】
【０００６】
以下，添付図面を参照して本発明の実施の一形態について説明し，本発明の理解に供する。ここに図１〜図５は，本発明の一実施形態に係る空気調和機への適用図，図６は，本発明の一実施形態に係る表示装置に用いる導光板を示す分解斜視図，図７は，本発明の一実施形態に係る表示装置に用いる導光板を示す斜視図，図８は，上記導光板に用いられるスリオンテープ（登録商標）の断面図である。なお，この実施形態は，空気調和機及び冷蔵庫における表示装置に関するものであるが，本発明は，これに限らず，電気掃除機，電気洗濯機その他の家庭用電化製品に等しく適用可能である。
【０００７】
まず，図１〜図５を参照して本発明を適用可能な空気調和機用の表示装置について説明する。ここに図１は，上記表示装置を示すもので，（ａ）は，その平面図，（ｂ）は，（ａ）のＡ−Ａ断面図，（ｃ）は，（ａ）のＢ−Ｂ断面図である。図２は，上記表示装置を備えた空気調和機全体の断面図，図３は，同空気調和機の正面図，図４は，同空気調和機のオープンパネルを閉じた状態の斜視図，図５は，同オープンパネルを開いた状態を示す斜視図である。
図２及び図４に示すように本発明が適用可能な空気調和機１は，その前面が本体１ａに固定の表示ユニット２１（本体カバーの一例）と本体１ａに対して開（図５の状態）閉（図４の状態）自在のオープンパネル１０（可動カバーの一例）により覆われている。上記オープンパネル１０の裏側にはエアフィルタ６（図５参照）で前面を覆われた熱交換器３（図２参照）が設けられている。
図２に全体的に示すように，空気調和機１内の送風機５の回転によって吸込口４から吸い込まれた室内空気は，熱交換器３を通って熱交換された後，吹出口２から室内に戻される。
空気調和機１の運転によって，室内空気に含まれる埃塵はエアフィルタ６に吸着するので，空気調和機の運転が長期間となるとユーザはオープンパネル１０を開いてエアフィルタ６の掃除をしなければならない。
上記オープンパネル１０の中央部に設けられた表示部３０（図４参照）の詳細は図１（ａ）に示されており，図示のようなロゴや商標を表示するほか，必要に応じて空気調和機の運転状態などを表示する。
この時表示部３０自身を発光させることが，表示部３０の訴える力が強くなるため望ましいが，オープンパネル１０が開閉自在であり，しかも表示部３０がオープンパネル１０のほぼ中央部に設けられているために表示部３０への給電が難しい。そのためこの空気調和機１では，本体側に固定的に設けたランプ２２（図２，図３参照）（発光素子の一例）の光を次に説明する特別な構造によりこの表示部３０に導いて表示部自身を発光させている。
【０００８】
図１（ｃ）に示すように，上記本体１ａに固定の表示ユニット２１に対して開閉自在のオープンパネル１０裏面には，該オープンパネル１０を図４のように上記本体カバーに対して閉じた時に，上記表示ユニット２１に設けられたＬＥＤなどのランプ２２と対向して該ランプ２２からの光を導く透明或は半透明の導光板２０ａ（導光部材の一例）が設けられている。また上記オープンパネル１０裏面には，上記導光板２０ａに光学的に導通状態で接続された透明或は半透明の発光表示板２０が取り付けられている。この発光表示板２０が上記表示部３０の主要部である。
上記導光板２０ａと発光表示板２０とは一連の反射板２０ｂでその裏面が覆われており，この導光板２０ａ，反射板２０ｂ及び発光表示板２０は，オープンパネル１０の裏面に一体に形成した係合爪１０ａによりオープンパネル１０の裏面に固定されている。
上記導光板２０ａは，ランプ２２に対向する第１の導光板２０−１と，図１（ａ）のように発光表示板２０に接続された第２の導光板２０−２からなっているが，第１の導光板２０−１と第２の導光板２０−２は一体成形されてもよい。
上記発光表示板２０の表面である表示面２０ｃ（図１（ｂ）参照）には，図１の（ａ）に示すように，例えば「Ｐｌａｓｍａｃｌｕｓｔｅｒ」といった表示２０ｅが印刷などにより施されている。
上記第１の導光板２０−１に光を供給するＬＥＤなどのランプ２２は，図２に示すように，上記表示ユニット２１の裏面に固定された表示基板２３に取り付けられている。
【０００９】
従って，オープンパネル１０が閉じた状態では，ランプ２２から照射された光はランプ２２に対向する第１の導光板２０−１を通ってこれに接続された第２の導光板２０−２に入射すると共に，第２の導光板２０−２を覆う反射板２０ｂの一部の反射面２０ｄ（反射板２０ｂが９０度に折り曲げられた部分）で９０度に反射して，発光表示板２０に入射され，発光表示板２０内を進むうちに表示面２０ｃに印刷された表示２０ｅに当たり，表示２０ｅを発光させる。
上記導光板２０ａ（２０−１及び２０−２からなる）及び発光表示板２０が反射板２０ｂにより覆われていることにより，これらの導光体内を通過する光の漏れが防止され，表示２０ｅの照明効率が向上する。
また反射板２０ｂが白色系の色調で形成されていれば，光の反射効率はより良好である。また反射板２０ｂに替えて導光板２０ａの外周面に梨地加工，あるいはローレット加工を施して反射板２０ｂを廃止することも可能である。
また，導光板２０ａは，図１（ｂ）に示すように，光の進行方向に対しその肉厚を徐々に薄く形成することにより，ランプ２２からの光をより効果的に導光板２０ａの先端まで導くことができると共に，表示面２０ｃにおいて輝度ムラを低減することができる。さらに，表示面２０ｃは，導光板２０ａと別体で形成されても良いが，一体で形成することにより導光のロスも少なくなり，部品コストの低減にも繋がる。
【００１０】
上記したのは，空気調和機に用いられた導光型表示装置であるが，冷蔵庫に用いられるものも原理としては同様である。また，上の例では，導光板２０ａからの光が発光表示板２０に入射され，発光表示板２０が外部に対する表示機能を発揮しているが，実際の使用例としては，発光表示板２０がなく，導光板２０ａの発光部自身が発光体として照明灯の役目を果たしている場合もある。
冷蔵庫に用いられる導光型表示装置はこのような使い方がされる例である。
ここで図９〜図１２を参照して冷蔵庫に用いられる導光型表示装置の概要について簡単に説明しておく。
【００１１】
図９は，観音開き型のドアを備えた冷蔵庫の一例を示す正面図である。
図９の冷蔵庫１００は，最上段に観音開き扉を備えた冷蔵室１１０が設けられ，その下にやはり観音開き扉によって開閉される温度切替室１２０（図中右側），と製氷室１３０（図中左側）が設けられている。また，その下段に引出し式の冷凍室１４０を備え，最下段が引出し式の野菜室１５０の構成となっている。
この冷蔵庫１００では，図１０に示されるように，図中左下方の冷却器(蒸発器)１６０で生成された冷気がその上の冷凍室送風機１７０と図示されていない冷蔵室送風機により，前記冷蔵室１１０へと導かれ，冷気ダクト１８０を経て，その後左右に振り分けられ，そのまま冷蔵室１１０の上方まで導かれた後，左右の冷蔵室１１０側壁方向に吐出される。なお，この冷気は，冷蔵室内１１０中央に直接流れないように工夫されており，冷蔵室１１０中央は背面を流れる冷気により冷やされた冷却パネルにより輻射冷却される。
図１０に示す吐出口１９０から吐出された冷気は，一部をショートサーキットにより，大部分は庫内を循環した後，図１１に示される循環送風機２００により吸込まれ上部に運ばれた後，イオン発生器２１０で発生したイオンを取り込み，吐出口２２０から再び冷蔵室１１０内のドアポケットに向けて流される。
図１２は，冷蔵室１１０の天井面に配置された冷気ダクトとイオン発生装置２３０を示す断面図である。
上記イオン発生器２１０を備え，循環送風機２００からの冷気にイオンを供給するイオン発生装置２３０の前面（操作者に対向する面）には，前記導光板２０ａの発光部自身を発光体とする照明灯（庫内灯）２４０が設けられている。
上記照明灯２４０の導光板２０ｘについても，ＬＥＤなどのランプ（発光素子）からの光を反射面で反射した後，発光面から発光する点で前記空気調和機に用いられた表示装置と同様である。
【００１２】
この実施形態に係る空気調和機１あるいは電気冷蔵庫１００に用いられる表示装置は，図６，図７に示すような，導光部材の一例である導光板２０ｘを備えている。導光板２０ｘは，前記図１〜図５，あるいは図９〜図１２に示した前記表示装置に用いられた導光板２０ａと構造としては同じであり，図６の分解斜視図に示すように，平面視で略台形の透明あるいは半透明の導光板本体２０ｙと，上記導光板本体２０ｙの反射面に貼り付けられる反射テープ２０ｚとから構成されている。
上記反射テープ２０ｚは，図示のように導光板本体２０ｙの下面３５側に沿って貼り付けられ，導光板本体２０ｙの下面３５から漏れる光を反射する第１の反射部３４と，上記第１の反射部３４に対して直角に折り曲げられ，図７に矢印３６ａで示す光の導入部の導入面３８に対する導入方向に対して斜めに傾いた側面３２に貼り付けられる第２の反射部４０とを備えて構成されている。上記第１および第２の反射部３４及び４０を導光板本体２０ｙに貼り付けた状態が図７に示されている。
【００１３】
図８は，上記反射テープ２０ｚの図６に矢印Ｄ−Ｄで示す方向の断面形状を概念的に示したものである。図に示すように反射テープ２０ｚは，導光板本体２０ｙに貼り付けるための合成樹脂系の接着部としての粘着材層４２と，粘着材層４２が接着された透明あるいは半透明のポリエステルフィルム４４と，上記粘着材層４２内に埋め込まれてポリエステルフィルム４４に平行に並べられた多数の上記ポリエステル糸４６とから構成されている。上記粘着材層４２の材質としては，白色系の合成樹脂接着剤が好ましい。
上記のようなポリエステル糸４６は，導光板本体２０ｙ内を通過する光の通過方向に対して直角である場合に，光の反射性に良い影響が確認された。
【００１４】
このような導光板２０ｘでは，図７に示すように，矢印３６ａで示す方向から導入された光は，導光板本体２０ｙ内を進行し，やがて下面３５に貼られた第１の反射部３４あるいは，側面３２に貼られた第２の反射部４０で反射され，矢印３６ｂで示すように進行方向を変え，矢印３６ｃで示すように隣接する前記発光表示板２０（図１（ａ）参照）に導入される。
その際，上記反射テープ２０ｚが反射面に貼られていることによって，反射性能が向上し，従来の梨地加工，ローレット加工などと較べて前記発光表示板２０に導入される照度が増加し，加えて長期使用により梨地加工，あるいはローレット加工部分の凹凸面に微細な塵が入りこみクスミなどを生じたりすること無く，従来よりも組み立て加工性の良い明るい表示装置が提供された。
上記粘着材層４２と，粘着材層４２が接着された透明あるいは半透明のポリエステルフィルム４４と，上記粘着材層４２内に埋め込まれポリエステルフィルム４４に平行に並べられた多数の上記ポリエステル糸４６とから構成された反射テープ２０ｚの具体例としては，スリオンテープ（株式会社スリオンテック社  登録商標）に好ましいものが見いだされた。
【００１５】
発明者らはこの知見を得る前に，反射テープについて多くの実験を行った。例えば，拡散シートとしての（１）ルミラ−２５０−Ｅ２２  （２）ルミラ−５０−２０  （３）きもとＬ７ホワイト（株式会社きもと商標）  （４）アルミ蒸着シート  （５）株式会社スリオンテック社  スリオンフィラメンテープ  Ｎｏ．８９８  （６）株式会社スリオンテック社  スリオンテープ  Ｎｏ．９５５０などである。これらの実験の中で，とりわけ，（６）のスリオンテープＮｏ．９５５０が好ましい反射率であることがわかった。次に好ましいものとして，上記（３）の「きもとＬ７ホワイト」が挙げられる。
これらの梱包用テープのなかでスリオンテープＮｏ．９５５０を除き，全ての製品の粘着材層４２は白色でなかったのに対して，上記スリオンテープＮｏ．９５５０は，白色系の合成樹脂系であり，スリオンテープに限らずこのような白色の合成樹脂系の粘着テープが表示装置として適していることが分かった。
【００１６】
本実施例の発光表示部２０の表示内容の一例として，空気調和機や電気冷蔵庫の運転状態を表示させることが出来る。また，ランプ２２の発光色を変えることにより，発光表示部２０の発光色を変えることができ，例えば空気調和機や電気冷蔵庫で，正負イオンを発生させている時は青色，負イオンのみを発生させている時は緑色等，空気調和機の運転状態に応じて発光色を区別して表示することができるため，ユーザにとってもより判り易い表示となる。
また，導光板２０ｘを任意に着色して，導光板２０ｘから出た光をランプ２２の発光色とは異なる色とすることも可能である。この場合，ランプ２２は共通使用したまま，導光板２０ｘの色調を変えて，電気冷蔵庫や空気調和機の機種展開のバリエーションに対応することもできる。
【００１７】
上記実施形態では導光板２０ｘと発光表示板２０を別々の部材としてそれらを接続した構造を採用したが，これらの部材を一体成形することで部品点数を減少させ，或は光の伝達効率の向上を図ることが出来る。
また，上記実施形態には，本発明に係る表示装置を電気冷蔵庫のマイナスイオン供給装置や空気調和機のオープンパネルに適用した場合について説明した。
しかしながら，本発明に係る表示装置の適用範囲は上記冷蔵庫や空気調和機のみでなく，洗濯機，炊飯器，電気掃除機，電子レンジなどの家庭用電化製品はもとより，複写機，コンピュータ，プリンタ等の事務機器，さらには種々の産業機械その他に適用されうるものであることはもちろんである。
【図面の簡単な説明】
【００１８】
【図１】本発明を適用可能な表示装置を示すもので，（ａ）は，その平面図，（ｂ）は，（ａ）のＡ−Ａ断面図，（ｃ）は（ａ）のＢ−Ｂ断面図。
【図２】本発明を適用可能な表示装置を備えた空気調和機全体の断面図。
【図３】本発明を適用可能な空気調和機の正面図。
【図４】本発明を適用可能な空気調和機のオープンパネルを閉じた状態の斜視図。
【図５】本発明を適用可能な空気調和機のオープンパネルを開いた状態を示す斜視図。
【図６】本発明の一実施形態に係る表示装置に用いる導光板を示す分解斜視図。
【図７】本発明の一実施形態に係る表示装置に用いる導光板を示す斜視図。
【図８】本発明の一実施形態に係る表示装置に用いる導光板に用いられるスリオンテープ（登録商標）の断面図。
【図９】本発明を適用可能な電気冷蔵庫の正面図。
【図１０】本発明を適用可能な電気冷蔵庫の正面の扉を開けた状態を示す正面図。
【図１１】本発明を適用可能な電気冷蔵庫のイオン発生装置の部分を示す平面図。
【図１２】本発明を適用可能な電気冷蔵庫のイオン発生装置の部分を示す縦断面図。
【符号の説明】
【００１９】
１ 空気調和機
１０…オープンパネル（可動カバー）
２０…発光表示部
２０−１，２０−２…第１の導光板，第２の導光板（導光部材）
２０ｂ…反射板
２０ｃ…発光面
２０ｘ…導光板（導光部材）
２１…表示ユニット
２２…ランプ（発光素子）
２３…表示基板
３０…表示部
３１…受光部
３２…側面
３４…第１の反射部
３５…下面
４０ 第２の反射部
１００…冷蔵庫
２００…循環送風機
２１０…イオン発生器
２２０…吐出口
２３０…イオン発生装置
【図１】
2010054139.tif 000003
【図２】
2010054139.tif 000004
【図３】
2010054139.tif 000005
【図４】
2010054139.tif 000006
【図５】
2010054139.tif 000007
【図６】
2010054139.tif 000008
【図７】
2010054139.tif 000009
【図８】
2010054139.tif 000010
【図９】
2010054139.tif 000011
【図１０】
2010054139.tif 000012
【図１１】
2010054139.tif 000013
【図１２】
2010054139.tif 000014